(57)【要約】【課題】  子機からの呼び出しに対して居住者が直接応答しなくても、来訪者に対してスムーズな応答が可能であって、居住者の性別、年齢等を隠す事ができる。【解決手段】  来訪者からの呼び出しに対して親機に接続したネットワーク接続装置の代理応答ボタンを押すと、インターネット網を介した外部親機に親機が接続され、この外部親機を操作する第三者と来訪者の間で通話が可能となる。外部親機と子機の間で通話中に外部親機から親機に対して意思確認信号を送信でき、この信号を受けて親機より居住者が応対する信号を返したら、外部親機から子機との通話が親機に転送され、親機と子機の間で通話が可能となる。居住者が応対する信号を返さなければ第三者は来訪者を追い払う通話を行い終話する。【選択図】  図３
2006157650.tif 000002
【特許請求の範囲】
【請求項１】
来訪者を撮影するカメラと、居住者を呼び出すための呼出ボタンとを備えた子機と、前記カメラの撮像映像を出画して前記子機と映像付き音声通話を実施すると共に音声信号，データ信号の入出力及び映像信号の出力を行う信号端子を備えた親機と、前記信号端子に接続して前記親機を外部通信ネットワークに接続するネットワーク接続装置と、前記外部通信ネットワークを介して前記ネットワーク接続装置に接続される外部親機とを有し、
前記外部親機を前記ネットワーク接続装置に接続することで、前記親機を介して前記子機との間で映像付き音声通話が可能であって、
前記ネットワーク接続装置には、前記子機からの呼び出しに対して応答する機器を前記親機から前記外部親機に切り替える代理応答ボタンが設けられ、前記代理応答ボタンにより応答する機器を前記親機から前記外部親機に切り替えた際に、前記親機において映像及び通話のモニタが可能であることを特徴とするテレビドアホン装置。
【請求項２】
前記外部親機による応答を終了するための代理応答終了ボタンをネットワーク接続装置に備えたことを特徴とする請求項１記載のテレビドアホン装置。
【請求項３】
来訪者を撮影するカメラと、居住者を呼び出すための呼出ボタンとを備えた子機と、前記カメラの撮像映像を出画して前記子機と映像付き音声通話を実施すると共に音声信号，データ信号の入出力及び映像信号の出力を外部通信ネットワークに対して実施するためのネットワーク接続手段を備えた親機と、外部通信ネットワークを介して前記親機のネットワーク接続手段に接続される外部親機とを有し、
前記親機を介して、前記子機と前記外部親機との間で映像付き音声通話が可能であり、前記親機は、前記子機からの呼び出しに対して応答する機器を前記親機から前記外部親機に切り替える代理応答ボタンを有し、応答する機器を前記外部親機に切り替えた際に、前記親機において映像及び通話のモニタが可能であることを特徴とするテレビドアホン装置。
【請求項４】
前記外部親機による応答を終了するための代理応答終了ボタンを前記親機に備えたことを特徴とする請求項３記載のテレビドアホン装置。
【請求項５】
前記外部親機による代理応答が成されている場合に、前記外部親機の所定の操作で前記親機に、若しくは前記親機に携帯電話が無線接続されて前記携帯電話が前記親機の代理となっている場合は前記携帯電話に、メッセージを送信可能としたことを特徴とする請求項１乃至４の何れかに記載のテレビドアホン装置。
【請求項６】
前記外部親機による代理応答が成されている場合に、前記外部親機の所定の操作で、前記親機に映像付き通話の転送を可能としたことを特徴とする請求項１乃至５の何れかに記載のテレビドアホン装置。
【発明の詳細な説明】
【技術分野】
【０００１】
本発明は来訪者をモニタで視認しながら通話できるテレビドアホン装置に関し、特に親機を外部通信ネットワークを介して遠方の外部親機に接続して多機能化を図ったテレビドアホン装置に関する。
【背景技術】
【０００２】
来訪者をモニタで視認しながら通話できるテレビドアホン装置の中で、防犯上の観点から来訪者と直接通話せずに済むようにしたものとして、例えば特許文献１に示すような構成のテレビドアホン装置がある。これは、親機に予め音声から成る応答メッセージを複数種類記憶させておき、適宜選択して子機から出力させる構成となっており、この応答操作により居住者の性別や年齢等を来訪者に知らせないようにでき、防犯性や利便性の向上を図っている。
また、携帯電話や携帯端末を電話回線やインターネット網等を介して親機に接続して、親機の代替機として子機との通話を可能とし、外出時であっても来訪者の呼び出しに対して応答可能としたテレビドアホン装置がある（例えば、特許文献２参照）。
【特許文献１】特開２０００−１２５０１９号公報
【特許文献２】特開２００４−２３６０８３号公報
【発明の開示】
【発明が解決しようとする課題】
【０００３】
しかし、上記特許文献１の構成は、予め定めた数種類の文言しかないため、スムーズな応答ができず、来訪者と直接通話せざるを得ない状況が生ずる場合があり、防犯性を十分発揮できない場合があった。
また、特許文献２のテレビドアホン装置は、不在時に来訪者があっても対応が可能であるため、総じて不審者に対して有効に機能するが、常に居住者自身が応答しなければならず、性別や年齢等を隠したい場合不都合な場合があった。
【０００４】
そこで、本発明はこのような問題点に鑑み、子機からの呼び出しに対して居住者が直接応答しなくても、来訪者に対してスムーズな応答が可能であって、居住者の性別、年齢等を隠す事ができるテレビドアホン装置を提供することを目的とする。
【課題を解決するための手段】
【０００５】
上記課題を解決する為に、請求項１に記載の発明は、来訪者を撮影するカメラと、居住者を呼び出すための呼出ボタンとを備えた子機と、カメラの撮像映像を出画して子機と映像付き音声通話を実施すると共に音声信号，データ信号の入出力及び映像信号の出力を行う信号端子を備えた親機と、信号端子に接続して親機を外部通信ネットワークに接続するネットワーク接続装置と、外部通信ネットワークを介してネットワーク接続装置に接続される外部親機とを有し、外部親機は、ネットワーク接続装置を介して親機に接続されて、子機と外部親機との間で映像付き音声通話が可能であって、ネットワーク接続装置には、子機からの呼び出しに対して応答する機器を親機から外部親機に切り替える代理応答ボタンが設けられ、代理応答ボタンにより応答する機器を親機から外部親機に切り替えた際に、親機において映像及び通話のモニタが可能であることを特徴とする。
この構成により、来訪者の呼び出しに対して居住者が応答したくない場合は、外部親機から第三者に応答してもらう事が可能となり、来訪者に対して居住者の性別、年齢等を隠す事ができ、防犯に役立つ。また、ネットワーク接続装置を親機に接続する構成のため、親機を交換することなく外部親機を接続することが可能であり、低コストでシステムの構成が可能である。更に、居住者は来訪者の撮像画像、及び来訪者と第三者の会話をモニタできるので、来訪者を詳しく知ることができる。
【０００６】
請求項２の発明は、請求項１の発明において、外部親機による応答を終了するための代理応答終了ボタンをネットワーク接続装置に備えたことを特徴とする。
この構成により、来訪者と第三者との会話を聞きながら、居住者が来訪者に対応すべきと判断したら、第三者による応答を終了させることができ、応答を第三者に任せても来訪者に対してスムーズな対応ができる。
【０００７】
請求項３の発明は、来訪者を撮影するカメラと、居住者を呼び出すための呼出ボタンとを備えた子機と、カメラの撮像映像を出画して子機と映像付き音声通話を実施すると共に音声信号，データ信号の入出力及び映像信号の出力を外部通信ネットワークに対して実施するためのネットワーク接続手段を備えた親機と、外部通信ネットワークを介して親機のネットワーク接続手段に接続される外部親機とを有し、親機を介して、子機と外部親機との間で映像付き音声通話が可能であり、親機は子機からの呼び出しに対して応答する機器を親機から外部親機に切り替える代理応答ボタンを有し、応答する機器を外部親機に切り替えた際に、親機において映像及び通話のモニタが可能であることを特徴とする。
この構成により、来訪者の呼び出しに対して居住者が応答したくない場合は、外部親機から第三者に応答してもらう事が可能となり、来訪者に対して居住者の性別、年齢等を隠す事ができ、防犯効果を奏する。また、居住者は来訪者と第三者の会話をモニタできるので、来訪者を詳しく知ることができるし、親機を直接外部通信ネットワークへ接続するだけで良く設置が簡単である。
【０００８】
請求項４の発明は、請求項３に記載の発明において、外部親機による応答を終了するための代理応答終了ボタンを親機に備えたことを特徴とする。
この構成により、来訪者と第三者との会話を聞きながら、居住者が来訪者に対応すべきと判断したら、第三者による応答を終了させることができ、応答を第三者に任せても来訪者に対してスムーズな対応ができる。
【０００９】
請求項５の発明は、請求項１乃至４の何れかに記載の発明において、外部親機による代理応答が成されている場合に、外部親機の所定の操作で親機に、若しくは親機に携帯電話が無線接続されて携帯電話が親機の代理となっている場合は携帯電話に、メッセージを送信可能としたことを特徴とする。
この構成により、来訪者と通話している第三者が、通話中に来訪者を追い払うか居住者の意思確認をすることが可能となり、来訪者との通話が遮断されるようなことがない。
【００１０】
請求項６の発明は、請求項１乃至５の何れかに記載の発明において、外部親機による代理応答が成されている場合に、外部親機の所定の操作で、親機に映像付き通話の転送を可能としたことを特徴とする。
この構成により、子機と通話している第三者側の操作で転送操作するので、スムーズに切替操作できるし簡易な構成で済む。
【発明の効果】
【００１１】
本発明によれば、来訪者の呼び出しに対して居住者が応答したくない場合は、外部親機から第三者に応答してもらう事で、来訪者に対して居住者の性別、年齢等を隠す事ができ、防犯に役立つ。また、居住者は来訪者の撮像画像、及び来訪者と第三者の会話をモニタできるので、来訪者を詳しく知ることができる。
【発明を実施するための最良の形態】
【００１２】
以下、本発明を具体化した実施の形態を、図面に基づいて詳細に説明する。図１は、本発明に係るテレビドアホン装置の一例を示すブロック図であり、１は来訪者が居住者を呼び出すための子機、２は子機１と通話を実施する親機、３は親機２を外部通信ネットワークであるインターネット網４に接続するネットワーク接続装置、５は親機２に接続されて親機２に代わって子機１と通話するための外部親機を示している。そして、図１に示すように、外部親機５はインターネット網４を介して複数のネットワーク接続装置３，３に接続され、１台で複数のテレビドアホン装置に接続が可能に構成されている。
【００１３】
子機１は、来訪者を撮像するカメラ１ａ、呼出ボタン１ｂ、居住者と通話するためのマイク１ｃ及びスピーカ１ｄを備え、親機２は、来訪者と通話するためのハンドセット２ａ、カメラ１ａの撮像映像を映し出すモニタ２ｂ、音声信号及びデータ信号の入出力を実施すると共にカメラ１ａの撮像信号を出力する信号端子２ｃを備えている。
【００１４】
ネットワーク接続装置３は、子機１との通話を親機２から外部親機５へ切り替えるための代理応答ボタン３ａ、親機２の信号端子２ｃに信号線を介して接続される信号端子３ｂを有し、具体的に図２のブロック図に示すように構成されている。また、ネットワーク接続装置３の代理応答ボタン３ａは、外部親機５が代理応答中に操作されると、代理応答終了ボタンとして作用し、外部親機５に子機１との通話終了を促す信号が送信される。
図２において、１１はカメラ１ａが撮像した映像信号をアナログからデジタルへ変換する映像Ａ／Ｄ部、１２は来訪者や居住者の音声をアナログからデジタルへ変換する音声Ａ／Ｄ部、１３は外部親機５から送られてきた音声をデジタルからアナログへ変換する音声Ｄ／Ａ部、１４は親機２からの制御データに応じて処理を行うデータ処理部と、１５は映像信号の圧縮を行う映像圧縮部、１６は音声信号の圧縮・伸張を行う音声圧縮・伸張部、１７はインターネット４と接続して外部親機５と通信を行う通信Ｉ／Ｆ（インターフェイス）部である。
尚、外部親機５は、例えばＩＰ通話機能を備えたパーソナルコンピュータが適用できる。また、代理応答終了ボタンは、代理応答ボタン３ａとは別に設けてもよい。
【００１５】
このネットワーク接続装置３は次のように動作する。まず、親機２が子機１からの呼び出しを待つ待受モードから呼び出しを受けた呼出モードに移ったら、親機２は親機２のＩＤ情報等を含むデータ信号ｉ１をネットワーク接続装置３へ出力する。ネットワーク接続装置３はこのデータ信号ｉ１をデータ処理部１４で受け取る。
そして、代理応答ボタン３ａが押されたら、受け取ったデータ信号ｉ１を通信Ｉ／Ｆ部１７へ渡し、通信Ｉ／Ｆ部１７でインターネット網４のプロトコルに合わせたデータ信号に変換してインターネット網４へ出力される。このとき、子機１のカメラ１ａで撮像された映像信号ｉ４は、ネットワーク接続装置３の映像Ａ／Ｄ部１１でデジタル変換され、更に映像圧縮部１５で映像圧縮されて通信Ｉ／Ｆ部１７よりインターネット網４へ必要に応じて出力される。また、子機１のマイク１ｃより入力された音声信号ｉ２は、ネットワーク接続装置３の音声Ａ／Ｄ部１２でデジタル変換され音声圧縮・伸張部１６で圧縮され、通信Ｉ／Ｆ部１７により必要に応じてインターネット網４へ出力され、インターネット網４から外部親機５へ伝送される。
【００１６】
一方、外部親機５は、データ信号ｉ１を受けて外部親機５を担当する第三者の呼出動作をする。担当者が応答操作したら映像信号ｉ４及び音声信号ｉ２が出力され、カメラ映像を見ながら通話が可能となる。そして、外部親機５の音声信号がインターネット網４よりネットワーク接続装置３へ出力された場合には、通信Ｉ／Ｆ部１７を介して、圧縮された音声を音声圧縮・伸張部１６で伸張し、音声Ｄ／Ａ部１３にてアナログ変換した信号ｉ３が親機２へ出力される。この音声信号は子機１に伝送され、子機１と外部親機５の間で通話が可能となる。また、外部親機５には、メッセージ送信ボタンが備えられ、通話中にこのボタンを押すことで、そのデータ信号を受信した親機２は、モニタ２ｂに「追い払いますか」とメッセージの出力が可能となっている。
尚、カメラ１ａが撮像している来訪者映像は代理応答中でも引き続き親機２のモニタ２ｂにも出画されているし、子機１と外部親機５との間で交わされる通話も親機２にてモニタが可能となっている。また、親機２が待受モードの時は、親機２と外部親機５の間で音声のみの通話が可能となっている。
【００１７】
以下、このテレビドアホン装置の動作を図３のフローチャートを基に説明する。子機１の呼出ボタン１ｂが押されたら、親機２は待受モード（Ｓ１）から呼出モードに移行（Ｓ２）して、呼出音を報音してモニタ２ｂに来訪者を映し出す。そして、親機２の通話ボタンが押されたら（Ｓ３）、或いはハンドセット２ａが取り上げられたら子機１との間で通話が可能となり（Ｓ４）、通話ボタン操作を解除、或いはハンドセット２ａを置いたら終話（Ｓ８）され、親機２は待受モード（Ｓ１）に戻る。尚、親機２の通話ボタンはモニタ２ｂに表示され、タッチパネルにより操作可能となっている。
【００１８】
子機１からの呼び出しに対して通話操作されずに代理応答ボタン３ａが押されるか留守設定（Ｓ５）になっていたら、親機２は代理応答通話モードに入り、ネットワーク接続装置３を外部親機５へ接続する操作信号を出す。この信号によりネットワーク接続装置３は親機２を外部親機５へ接続する信号を出し、この接続操作を受けて外部親機５は担当者を呼出操作する。こうして、担当者が通話操作をしたら、外部親機５はインターネット網４、ネットワーク接続装置３、親機２を介して子機１と通話が可能となり、担当者と来訪者の間で通話が成される（Ｓ６）。
そして、この通話が留守設定による代理応答か、代理応答ボタンによる代理応答か、外部親機５のディスプレイに表示（Ｓ７）され、留守設定による場合は、担当者と来訪者の通話終了により終話され（Ｓ８）、親機２は待受モードに戻る。
【００１９】
一方、代理応答操作による代理応答の場合は、代理応答中の会話内容は親機２のハンドセット２ａ或いはスピーカより出力され、親機２のモニタ２ｂはカメラ１ａ撮像映像の出画を続ける。そして、来訪者と担当者の会話の進み具合により、担当者によりメッセージ送信ボタンが操作されたら、親機２のモニター２ｂに「追い払いますか」とメッセージが出力されて意思確認が成される（Ｓ９）。
このとき、即ち代理応答通話モード中は代理応答ボタン３ａは代理応答終了ボタンとして動作するので、このメッセージを受けて、居住者により代理応答ボタン３ａが再度押されたら、ネットワーク接続装置３は代理応答終了する信号を出力する。この信号を受けて、外部親機５のディスプレイには、例えば「転送してください」とメッセージが出力され、外部親機５で応対中の担当者はこのメッセージを受けて、通話を親機２へ転送する操作が成され、引き続き親機２と子機１との間で通話が可能（Ｓ４）となる。
【００２０】
代理応答ボタン３ａが押されなければ、ネットワーク接続装置３は信号を出力する事はなく、外部親機５にメッセージは出力されない。この場合、担当者は来訪者を追い払よう指示を受けたと判断し、来訪者と引き続き通話し、引き取ってもらう旨の通知をし終話する（Ｓ８）。
尚、親機２が代理応答通話モードの時、代理応答ボタン３ａは代理応答終了ボタンとして作用するので、外部親機５から意思確認のメッセージが送信されなくても、外部親機５に代理応答を終了する旨の信号を送信することもできる。
【００２１】
このように、来訪者の呼び出しに対して居住者が応答したくない場合は、外部親機から第三者に応答してもらう事ができ、来訪者に対して居住者の性別、年齢等を隠す事ができ、防犯に役立つ。また、ネットワーク接続装置を親機に接続する構成のため、親機を交換することなく外部親機を接続することが可能であり、低コストでシステムの構成が可能である。更に、居住者は来訪者の撮像画像、及び来訪者と第三者の会話をモニタできるので、来訪者を詳しく知ることができる。
また、来訪者と第三者との会話を聞きながら、居住者が来訪者に応対すべきと判断したら、第三者による応答を終了させることができ、応答を第三者に任せても来訪者に対してスムーズな対応ができる。
また、来訪者と通話している第三者が、通話中に来訪者を追い払うか居住者の意思確認をすることができるので、来訪者との通話が遮断されるようなことがないし、子機と通話している第三者側の操作で転送操作するので、スムーズに切替操作できるし簡易な構成で済む。
【００２２】
次に、親機２が外部親機５とは別に携帯電話に接続されたテレビドアホン装置について説明する。図４はその一例を示す構成図であり、６が携帯電話である。携帯電話６はネットワーク接続装置３又はインターネット網４を介して親機２に接続され、他の構成は図１と同様である。
このような構成では、留守の際に携帯電話６が親機２として使用され、子機１の呼出ボタン１ｂが押下されたら、ネットワーク接続装置３は携帯電話６を呼び出す。ネットワーク接続装置５は外部通信ネットワークである電話回線を介して携帯電話６に接続される。これは、例えば上記特許文献２に示す構成と同様である。
こうして、携帯電話６と子機１の間で通話が可能となる。そして、映像と音声が携帯電話６に出力され、携帯電話６で応答する居住者が映像と音声より代理応答が必要と判断した場合に代理応答ボタン（例えば＃ボタン）を押す。
【００２３】
代理応答ボタンが押されると、ネットワーク接続装置３は子機１の接続を外部親機５に切り替える。この切替操作は、上記実施形態と同様に通信Ｉ／Ｆ部１７へデータを渡し、通信Ｉ／Ｆ部１７では、インターネット網のプロトコルに合わせたデータを出力し、これを受けて外部親機５が外部親機５の担当者により応答操作が成されれば子機１と外部親機５は接続される。
こうして、ネットワーク接続装置３と外部親機５との映像付き音声通話が実施され、外部親機前の担当者と子機前の来訪者との通話が行われる。そして、上記実施形態と同様な流れで通話の内容に応じて外部親機５より携帯電話６の表示画面にへメッセージが出力され、追い払うかどうか外出した居住者への意思確認が行われる。居住者は代理応答ボタンを押すことで、自ら応答するかどうかを外部親機５前の担当者へ回答できるし、代理応答ボタンが押されなければ、担当者は来訪者を追い払う。
【００２４】
このように、留守時に携帯電話で来訪者に対応可能に構成されたテレビドアホン装置においても、携帯電話の操作で親機の操作と同様に第三者に代理応答してもらうことができるし、自ら応答したくなった場合は外部親機から転送してもらい来訪者と通話することもできる。
【００２５】
尚、上記実施形態では、親機２とネットワーク接続装置３を別体としているが、勿論ネットワーク接続装置３を親機２に組み込んで一体化しても良く、こうすれば、親機２を直接外部通信ネットワークに接続するだけで良く、設置が簡単である。
【図面の簡単な説明】
【００２６】
【図１】本発明に係るテレビドアホン装置の実施形態の一例を示す構成図である。
【図２】図１のネットワーク接続装置のブロック図である。
【図３】図１のテレビドアホン装置の通話切替の流れを示すフローチャートである。
【図４】本発明の他の例を示すテレビドアホン装置の構成図である。
【符号の説明】
【００２７】
１・・子機、１ａ・・カメラ、１ｂ・・呼出ボタン、１ｃ・・マイク、１ｄ・・スピーカ、２・・親機、２ａ・・ハンドセット、２ｃ・・信号端子、３・・ネットワーク接続装置、３ａ・・代理応答ボタン、４・・インターネット（外部通信ネットワーク）、５・・外部親機、６・・携帯電話。
【図１】
2006157650.tif 000003
【図２】
2006157650.tif 000004
【図３】
2006157650.tif 000005
【図４】
2006157650.tif 000006